(57)【要約】      （修正有）【課題】異なる箇所の筋持久力を鍛えさせ、トレーニング過程に変化を与える回転横動作式ダンベルを提供する。【解決手段】少なくとも一つの把持部１と、該把持部を固定し収容部２１を設ける結合盤２と、該結合盤の収容部内に配置する回転部材３と、該回転部材内に嵌合する嵌合部を一端に設け、少なくとも一つのウィング部４１を備える回転アーム４と、該回転アームのウィング部に固定する少なくとも一つの重り部５とを含むことにより、使用者は手でダンベルの把持部を握りねじり回転させた時、前記回転部材が回転アームと把持部を相対的に回転運動させることにより、異なる箇所の筋持久力を鍛える重量トレーニングのフィットネス効果を実現させる。【選択図】図１
0003164647.tif 000002
【実用新案登録請求の範囲】
【請求項１】
少なくとも一つの把持部と、
前記把持部を固定し収容部を設ける結合盤と、
前記結合盤の収容部内に配置する回転部材と、
前記回転部材内に嵌合する嵌合部を一端に設け、少なくとも一つのウィング部を備える回転アームと、
前記回転アームのウィング部に固定する少なくとも一つの重り部とを含むことによりなることを特徴とする回転横動作式ダンベル。
【請求項２】
請求項１記載の回転横動作式ダンベルにおいて、前記結合盤の収容部には更に貫通窪み穴と環状溝とを備え、前記環状溝は前記貫通窪み穴エッジに設けることを特徴とする回転横動作式ダンベル。
【請求項３】
請求項２記載の回転横動作式ダンベルにおいて、前記回転横動作式ダンベルは更に回転部材を含み、前記回転部材は連接軸棒と軸受とリングにより構成され、前記連接軸棒には接合孔を内設し、前記連接軸棒の一端には軸貫通部を設け、他の一端には環状部を設け、前記軸受の外側エッジと収容部の貫通窪み穴とを密着させて組み合わせ、前記軸受の内側エッジは前記連接軸棒の軸貫通部に被嵌し環状部を圧止し、前記リングを環状溝内に入れて前記軸受に嵌設することを特徴とする回転横動作式ダンベル。
【請求項４】
請求項１記載の回転横動作式ダンベルにおいて、前記結合盤は更に少なくとも一つの貫通孔を含み、前記貫通孔は前記結合盤上に配置することを特徴とする回転横動作式ダンベル。
【請求項５】
請求項４記載の回転横動作式ダンベルにおいて、前記把持部にはそれぞれ結合部を備え、ボルトを前記結合盤の貫通孔を貫いて設け、並びに前記結合部に螺着固定することを特徴とする回転横動作式ダンベル。
【請求項６】
請求項１記載の回転横動作式ダンベルにおいて、前記回転アームのウィング部には更に少なくとも一つの引き掛け孔を備え、前記引き掛け孔は前記ウィング部上に配置して重り部を掛けて固定することを特徴とする回転横動作式ダンベル。
【請求項７】
請求項１記載の回転横動作式ダンベルにおいて、前記結合盤は更に少なくとも一つの螺着部を備え、前記螺着部は前記結合盤上に垂直に配置することを特徴とする回転横動作式ダンベル。
【請求項８】
請求項１記載の回転横動作式ダンベルにおいて、前記結合盤は更に少なくとも一つの螺着部を備え、前記螺着部は前記結合盤上に平行に配置することを特徴とする回転横動作式ダンベル。
【請求項９】
請求項７或いは請求項８記載の回転横動作式ダンベルにおいて、前記各把持部には更にねじ山部を設け、前記ねじ山部は前記螺着部の接合孔に螺着することを特徴とする回転横動作式ダンベル。
【考案の詳細な説明】
【技術分野】
【０００１】
本考案は重り部の回転するダンベルに関し、特に身体を鍛えるための回転横動作式ダンベルに係る。
【背景技術】
【０００２】
図８に示した通り、公知のダンベル６０は、把持部６１と複数の重り体６２によって構成される。前記把持部６１の両端には重り体６２を把持部６１の両端に嵌合するためのねじ山部６１１を備え、ナット６１２をねじ山部６１１に螺合して重り体６２を固定する。
【考案の概要】
【考案が解決しようとする課題】
【０００３】
しかし、本考案者は、公知のダンベルは把持部と重り体の組み合わせによってトレーニングする重量を調整するが、前記重り体が単純に把持部に固定されているだけである故に重り体の重量を調整して上下に肘を伸ばしたりして曲げる方法に限られるため、トレーニング過程が単調で味気なく、トレーニングに対する興味や筋持久力トレーニングの選択に掛けるという欠点がある。本考案では前記公知技術の問題点を解決すべきである課題とした。
【課題を解決するための手段】
【０００４】
本考案者は前述の課題に鑑み、長期に渡りダンベルに対する研究及びあらゆる点から勘案して突き止め究めた結果、本考案の回転横動作式ダンベルを生み出した。それは、少なくとも一つの把持部と、前記把持部を固定し収容部を設ける結合盤と、前記結合盤の収容部内に配置する回転部材と、前記回転部材内に嵌合する嵌合部を一端に設け、少なくとも一つのウィング部を備える回転アームと、前記回転アームのウィング部に固定する少なくとも一つの重り部とを含むことによりなる。
【考案の効果】
【０００５】
本考案の回転横動作式ダンベルは、使用者が手でダンベルの把持部を握りねじり回転させた時、前記回転部材が回転アームと把持部を相対的に回転運動させ、それに加えて、回転アーム上に備え予め設定した重量の重り部が回転した時に遠心力が発生し、作用を受ける把持部上に回転負荷を生じさせる。これにより、使用者は筋持久力に必要な重量トレーニングができるため、予定したフィットネス効果を達成する。
【０００６】
本考案の回転横動作式ダンベルは、把持部と結合盤を垂直或いは水平に結合させて螺合固定し、異なる箇所の筋肉を鍛えてトレーニング過程に変化を与えるものである。
【０００７】
本考案の回転横動作式ダンベルは、使用者がトレーニングの負荷に基づいて前記回転アーム上に取り付ける重り部の重量を変化させることができ、前記重り部はボルトで前記回転アームに結合固定させる故に、使用上の安全性を実現する。
【図面の簡単な説明】
【０００８】
【図１】本考案の回転横動作式ダンベルに関する分解図である。
【図２】本考案の回転横動作式ダンベルに関する組立図である。
【図３】本考案の回転横動作式ダンベルに関する一部断面図である。
【図４】本考案の回転横動作式ダンベルに関する回転実施図である。
【図５】本考案の回転横動作式ダンベルに関する他の実施例の分解図である。
【図６】本考案の回転横動作式ダンベルに関する他の実施例の一部断面図である。
【図７】本考案の回転横動作式ダンベルに関する他の実施例の一部断面図である。
【図８】公知のダンベルの組立図である。
【考案を実施するための形態】
【０００９】
図１乃至図３に示した本考案の回転横動作式ダンベルは、少なくとも一つの把持部１と結合盤２と回転部材３と回転アーム４と重り部５とにより構成される。
前記把持部１は、一端にボルト１２で螺着する結合部１１を備える。
前記結合盤２は、盤上に貫通窪み穴２２を備える収容部２１を設け、前記貫通窪み穴２２エッジには環状溝２３を備え、結合盤２上には少なくとも一つの貫通孔２４を設ける。
前記回転部材３は、連接軸棒３１と軸受３２とリング３３により構成され、前記連接軸棒３１には貫通する接合孔３１１を内設し、前記連接軸棒３１の一端には軸貫通部３１２を設け、他の一端を環状部３１３とし、前記軸受３２の外側エッジと収容部２１の貫通窪み穴２２を密着させて組み合わせ、前記軸受３２の内側エッジは連接軸棒３１の軸貫通部３１２に被嵌し環状部３１３を圧止し、前記リング３３を環状溝２３内に入れて軸受３２に嵌設する。
前記回転アーム４には、少なくとも一つのウィング部４１を設け、前記ウィング部４１の一端には嵌合部４２を設け、前記嵌合部４２は前記連接軸棒３１の軸貫通部３１２に嵌合し、並びに、ボルト４３で嵌合部４２と連接軸棒３１の接合孔３１１を螺着することにより、回転アーム４を軸受３２内側エッジと密着結合させて回転させ、前記ウィング部４１には少なくとも一つの引き掛け孔４４と少なくとも一つの貫通孔４５とを設ける。
前記の少なくとも一つの重り部５は、その一端面の中心に引き掛けるための突出柱５１を備え、その周囲エッジには結合孔５２を設け、ボルト５３で定位固定する。前記重り部５の突出柱５１は回転アーム４のウィング部４１の引き掛け孔４４に引き掛け、ボルト５３をウィング部４１の貫通孔４５と重り部５の結合孔５２に通して螺着固定する。
【００１０】
特別に説明すべき点は、前記収容部２１は偏った位置に配置してある点である。即ち、把持部１の中間の延長線は収容部２１の中心点を通過しておらず、しかもそれぞれの間には偏位距離を形成し、また、前記回転アーム４ウィング部４１の重り部５の引き掛け孔４４はその嵌合部４２の一方側に偏り配置され、前記偏位距離により、作用力が重り部５箇所から回転アーム４に沿って収容部２１の回転部材３方向に伝えられた時、前記収容部２１の中心点を回転軸として回転モーメントが形成される。このような設計は、回転アーム４の動き始めと回転横動作をスムーズにするのに役立つ。
【００１１】
図１乃至図３に示す通り、回転横動作式ダンベルを組立てて実施する場合、軸受３２を収容部２１の貫通窪み穴２２内に入れて密着状態で配置し、連接軸棒３１の軸貫通部３１２を前記軸受３２に嵌設させると、環状部３１３は軸受３２の一端を圧止し、前記リング３３を環状溝２３内に配置させて前記軸受３２に引き掛ける。回転アーム４の嵌合部４２を前記連接軸棒３１の軸貫通部３１２に嵌合し、ボルト４３を使って嵌合部４２と軸貫通部３１２の接合孔３１１を螺着固定することにより、嵌合部４２は前記軸受３２内側エッジを押圧して密着し、重り部５の突出柱５１をウィング部４１の引き掛け孔４４上に引き掛け、ボルト５３を使ってウィング部４１の貫通孔４５と重り部５の結合孔５２を螺着固定し、ボルト１２を前記結合盤２の貫通孔２４を貫いて設け、並びに前記把持部１の結合部１１に螺着固定する。
【００１２】
図２乃至図４に示す通り、回転横動作式ダンベルを使用実施する場合、使用者はトレーニングの負荷に応じて、前記回転アーム４上の重り部５の重量掛けを調整し、更に手で把持部１を握り回転横移動させ、前記回転アーム４のウィング部４１の重り部５の重量により発生する側面方向の偏回転力と回転部材３の軸受３２の軸回転によって、回転アーム４と重り部５に同時に遠心回転現象が生じ、これにより使用者は筋持久力を鍛えるフィットネス効果を達成する。
【００１３】
図５乃至図７には、他の回転横動作式ダンベルの実施例を示す。前記結合盤２上には少なくとも一つの螺着部２５を設け、前記螺着部２５内には接合孔２５１を設け、前記把持部１の一端には前記螺着部２５の接合孔２５１を螺合するためのねじ山部１３を設け、前記螺着部２５は結合盤２上に垂直或いは水平に配置するため、前記把持部１に二種類の異なる接合を与え、異なる箇所の筋持久力のフィットネストレーニング効果を達成させる。
【００１４】
前述をまとめると、本考案の回転横動作式ダンベルは、手でダンベルの把持部を握りねじり回転させた時、前記回転部材が回転アームと把持部を相対的に回転運動させ、更に、回転アーム上に備えた重量の重り部が回転した時に遠心力を発生させ、作用を受ける把持部上に回転負荷が生じる。また、前記把持部と結合盤は垂直或いは水平に螺着結合しているため、トレーニング過程に変化を与えてフィットネス効果を高める。また、これにより構成される構造は嘗て書籍や公開使用されておらず、実用新案の出願要件に符合するものである。
【００１５】
前述したものは本考案の具体的な実施例の即刻応用できる技術原理である故、本考案の構想に基づいて為される変化が生じる効果作用が明細書及び図面に含まれる精神を逸脱していない場合、それらは全て本考案の請求範囲内に含まれることをここに明文する。
【符号の説明】
【００１６】
１  把持部
１１  結合部
１２  ボルト
１３  ねじ山部
２  結合盤
２１  収容部
２２  貫通窪み穴
２３  環状溝
２４  貫通孔
２５  螺着部
２５１  接合孔
３  回転部材
３１  連接軸棒
３１１  接合孔
３１２  軸貫通部
３１３  環状部
３２  軸受
３３  リング
４  回転アーム
４１  ウィング部
４２  嵌合部
４３  ボルト
４４  引き掛け孔
４５  貫通孔
５  重り部
５１  突出柱
５２  結合孔
５３  ボルト
６０  ダンベル
６１  把持部
６１１  ねじ山部
６１２  ナット
６２  重り体
【図１】
0003164647.tif 000003
【図２】
0003164647.tif 000004
【図３】
0003164647.tif 000005
【図４】
0003164647.tif 000006
【図５】
0003164647.tif 000007
【図６】
0003164647.tif 000008
【図７】
0003164647.tif 000009
【図８】
0003164647.tif 000010